(57)【要約】【課題】傾斜して使用してもロール紙状体に揺れが生じにくいロール紙状体支持装置、画像形成装置及びロール紙状体支持方法を提供する。【解決手段】ロール状紙状体である記録媒体を回転可能に支持し、回転中心以外に重心を有する基底部に係止機構であるビスを緩めた時にロール紙状体の芯の内部に接する少なくとも２点の接点を結ぶ直線が鉛直方向と垂直となるように配置される支持部を備えるロール紙状体支持装置と、記録媒体を搬送する記録媒体搬送装置と、記録媒体に画像形成する画像形成部と、記録媒体搬送装置を駆動させる搬送装置駆動部と、制御部と、を備える。【選択図】図２
2012179717.tif 000002
【特許請求の範囲】
【請求項１】
回転可能に設置され、回転の中心以外に重心が存在する形状をなし、回転しないように係止する係止機構を有する基底部と、
前記基底部に設けられ、前記基底部を重力に従って自由回転させた後に前記係止具によって係止したときに少なくとも２点によりロール紙状体の芯の内部に接触する形状をなし、前記ロール紙状体の芯に挿通される支持部と、
を備えるロール紙状体支持装置。
【請求項２】
前記支持部は、
前記基底部を重力に従って自由回転させた後に前記係止具によって係止したときに前記ロール紙状体の芯の内部に接触する２点を結ぶ直線が鉛直方向に対して垂直である請求項１記載のロール紙状体支持装置。
【請求項３】
軸周りに回転可能な円盤と、
前記円盤の周辺部に配置される錘と、
前記円盤の回転を阻止する係止機構と、
前記円盤に設けられ、ロールの筒状の芯の内部に挿通される角柱状の支持部と、
を備えるロール紙状体支持装置。
【請求項４】
回転可能に設置され、回転の中心以外に重心が存在する形状をなし、回転しないように係止する係止機構を有する基底部と、
前記基底部に設けられ、前記基底部を重力に従って自由回転させた後に前記係止具によって係止したときに少なくとも２点によりロール状の記録媒体のロールの芯の内部に接触する形状をなし、ロール状の前記記録媒体の前記ロールの芯に挿通される支持部と、
前記記録媒体を搬送する記録媒体搬送装置と、
前記記録媒体に画像形成する画像形成部と、
を備える画像形成装置。
【請求項５】
前記支持部は、
前記基底部を重力に従って自由回転させた後に前記係止具によって係止したときにロール状の前記記録媒体の前記ロールの芯の内部に接触する２点を結ぶ直線が鉛直方向に対して垂直である請求項４記載の画像形成装置。
【請求項６】
軸周りに回転可能な円盤と、
前記円盤の周辺部に配置される錘と、
前記円盤の回転を阻止する係止機構と、
前記円盤に設けられ、ロールの筒状の芯の内部に挿通される角柱状の支持部と、
前記記録媒体を搬送する記録媒体搬送装置と、
前記記録媒体に画像形成する画像形成部と、
を備える画像形成装置。
【請求項７】
回転の中心以外に重心が存在する形状をなす基底部を自由回転させた後に係止機構によって回転しないように係止し、
前記基底部に設けられる支持部の少なくとも２点をロール紙状体の芯の内部に接触させる、ロール紙状体支持方法。
【請求項８】
前記２点を結ぶ直線が鉛直方向に対して垂直になるように前記支持部を係止する請求項７記載のロール紙状体支持方法。
【発明の詳細な説明】
【技術分野】
【０００１】
本発明の実施形態は、ロール紙状体支持装置、画像形成装置及びロール紙状体支持方法に関する。
【背景技術】
【０００２】
紙、樹脂シート、又は布などの紙状体をロール状に巻いたロール紙状体から紙状体を引き出して処理する装置がある。このような装置においては、紙状体をロールから引き出す際に均一の張力が働いていることが望ましい。
【０００３】
例えば、ロール状の記録媒体から記録媒体を引き出し、この記録媒体に画像形成する画像形成装置においては、記録媒体を引き出す際の張力が均一でないと記録媒体の搬送に支障をきたすことがある。
【０００４】
この点に関し、ロール状紙状体の中空の芯に挿通する支持軸を四角柱に形成し、芯の内側を支持軸が２辺、すなわち側面視したときに２点により支持するロール紙状体支持装置が提案されている。
【０００５】
また、ロール紙状体の揺れを規制する揺れ止めピンを有するロール紙状体支持装置が提案されている。
【先行技術文献】
【特許文献】
【０００６】
【特許文献１】特開２００４−２９２１５８号公報
【発明の概要】
【発明が解決しようとする課題】
【０００７】
しかし、いずれの技術によっても、顧客の要請によりロール紙状体支持装置を含む装置全体を傾斜して配置して使用する場合、角度によってはロール紙状体を１辺、すなわち側面視したとき１点にて支持する状態が生じる。この状態にて紙状体をロール紙状体から取り出すと、ロール紙状体に揺れが発生し、張力が不安定となる。
【０００８】
従って、傾斜して使用してもロール紙状体に揺れが生じにくいロール紙状体支持装置、画像形成装置及びロール紙状体支持方法が求められている。
【課題を解決するための手段】
【０００９】
上記の課題を解決するために、本発明の一実施形態は、回転可能に設置され、回転の中心以外に重心が存在する形状をなし、回転しないように係止する係止機構を有する基底部と、基底部に設けられ、基底部を重力に従って自由回転させた後に係止具によって係止したときに少なくとも２点によりロール状の記録媒体のロールの芯の内部に接触する形状をなし、ロール状の記録媒体のロールの芯に挿通される支持部と、記録媒体を搬送する記録媒体搬送装置と、記録媒体に画像形成する画像形成部と、を備える画像形成装置を提供する。
【図面の簡単な説明】
【００１０】
【図１】ロール紙状体支持装置を含む画像形成装置の側面図である。
【図２】ロール紙状体支持装置の分解斜視図である。
【図３】ロール紙状体支持装置の正面図である。
【図４】応用例に係るロール紙状体支持装置の正面図である。
【図５】画像形成装置を水平に設置した場合のロール紙状体支持装置の様子を示す図である。
【図６】画像形成装置を水平方向に対して角度をつけて設置した場合のロール紙状体支持装置の様子を示す図である。
【図７】画像形成装置の構成を示すブロック図である。
【発明を実施するための形態】
【００１１】
以下、本発明によるロール紙状体支持装置、画像形成装置及びロール紙状体支持方法の一実施形態について、図面を用いて詳細に説明する。
【００１２】
本実施形態のロール紙状体支持装置は、回転可能に設置され、回転の中心以外に重心が存在する形状をなし、回転しないように係止する係止機構を有する基底部と、基底部に設けられ、基底部を重力に従って自由回転させた後に係止具によって係止したときに少なくとも２点によりロール紙状体の芯の内部に接触する形状をなし、ロール紙状体の芯に挿通される支持部と、を備える。
【００１３】
本実施形態の画像形成装置は、回転可能に設置され、回転の中心以外に重心が存在する形状をなし、回転しないように係止する係止機構を有する基底部と、基底部に設けられ、基底部を重力に従って自由回転させた後に係止具によって係止したときに少なくとも２点によりロール状の記録媒体のロールの芯の内部に接触する形状をなし、ロール状の記録媒体のロールの芯に挿通される支持部と、記録媒体を搬送する記録媒体搬送装置と、記録媒体に画像形成する画像形成部と、を備える。
【００１４】
図１は、本実施形態に係るロール紙状体支持装置を含む画像形成装置１の側面図である。図１に示すように、画像形成装置１は、ロール状紙状体である記録媒体１２を回転可能に支持するロール紙状体支持装置１００と、記録媒体１２の搬送位置を規制する第１の搬送ガイド２０Ａ及び第２の搬送ガイド２０Ｂと、記録媒体１２を搬送する記録媒体搬送装置１３と、記録媒体１２に画像形成する画像形成部１４と、記録媒体１２を裁断するカッタ１６と、記録媒体搬送装置１３を駆動させる搬送装置駆動部９０４と、カッタ１６を駆動させるカッタ駆動部９０５と、制御部１９と、を備える。なお、カッタ１６及びカッタ駆動部９０５はオプションとすることもできる。
【００１５】
画像形成部１４は、サーマルヘッドでもドットインパクトヘッドでもインクジェットヘッドでもよい。画像形成部１４の記録媒体１２を挟んで対向する位置にはプラテン１５が設けられる。
【００１６】
制御部１９は、演算装置であるＣＰＵ９０１と、画像処理部９０３と、を含む。
【００１７】
画像形成装置１は、記録媒体１２を記録媒体搬送装置１３により搬送し、画像処理部９０３の出力に応じて画像形成部１４を駆動させて記録媒体１２に画像形成し、記録媒体１２を裁断し、排出口から裁断された記録媒体Ｐを排出する。
【００１８】
図２は、ロール紙状体支持装置１００の分解斜視図である。図２に示すように、ロール紙状体支持装置１００は円弧状に設けられるビス挿通孔１０３を有する基底部１０１と、基底部１０１に設けられ、ロール紙状体１２の芯に挿通される支持部１０２と、を備える。
【００１９】
基底部１０１は円盤形状をなしていることが製作しやすいという点で望ましいが、ほかの形状をなしていてもよい。
【００２０】
支持部１０２は、少なくとも２点によりロール紙状体の芯の内部に接触する形状をなしている。支持部１０２は四角柱であることが製作しやすいという点で望ましいが、ほかの形状をなしていてもよい。例えば、支持部１０２は底面が多角形の柱体であってもよい。
【００２１】
支持部１０２は、基底部１０１に対して回転しないように基底部１０１に係止される。支持部１０２は基底部１０１と一体形成されていてもよい。
【００２２】
ロール紙状体支持装置１００が設置されるフレーム１０７にはビス穴１０８と、軸受孔１１０が設けられる。
【００２３】
基底部１０１はフレーム１０７側の面に軸１１１を有する。軸１１１は軸受孔１１０に回転可能に嵌め込まれる。支持部１０２の回転軸Ｏと軸１１１の回転軸Ｏとは一致することが望ましい。
【００２４】
ロール紙状体支持装置１００はフレーム１０７に、係止具であるビス１０９をビス挿通孔１０３及びビス穴１０８に挿通して締めることにより固定される。
【００２５】
基底部１０１が円形形状の場合、基底部１０１は円周部に錘１０４を備える。
【００２６】
図３は、ロール紙状体支持装置１００の正面図である。図３に示すように、フレーム１０７に回転可能に設置された場合、ロール紙状体支持装置１００は錘１０４が最下部に来るように変位する。支持部１０２は、基底部１０１が重力に従って自由回転することにより錘１０４が最下部に来るように変位した場合、ロール紙状体１２の芯の内部に接する２つの接点Ａ及び接点Ｂを結ぶ直線が、矢印Ｘ１に示す鉛直方向と垂直となるように基底部１０１に取り付けられる。
【００２７】
基底部１０１は基底部１０１が回転しないように係止する係止機構を有する。基底部１０１は、係止機構として例えばビス１０９を挿通するビス挿通孔１０３を、回転中心Ｏを中心とする円弧状に有する。
【００２８】
図４は、応用例に係るロール紙状体支持装置１００の正面図である。図４に示すように、錘１０４を用いる代わりに、回転中心Ｏ以外に重心が存在する形状をなしていてもよい。図４に示す例においては、基底部１０１は楕円部１０５を備える。
【００２９】
図５は、画像形成装置１を水平に設置した場合のロール紙状体支持装置１００の様子を示す図である。
【００３０】
図５に示すように、ビス１０９を緩めた状態では、ロール紙状体支持装置１００は錘１０４が最下部に来るように変位する。この状態で、ビス１０９を締め、フレーム１０７にロール紙状体支持装置１００を固定する。
【００３１】
ロール紙状体１２の芯に支持部１０２を挿通すると、接点Ａ及び接点Ｂにて支持部１０２はロール紙状体１２の芯の内部に接する。
【００３２】
従って、ロール紙状体１２から紙状体である記録媒体を引き出してもロール紙状体１２は揺動することがなく、張力は安定する。
【００３３】
図６は、画像形成装置１を水平方向に対して角度をつけて設置した場合のロール紙状体支持装置１００の様子を示す図である。
【００３４】
図６に示すように、ビス１０９を緩めた状態では、ロール紙状体支持装置１００は錘１０４が最下部に来るように変位する。この状態で、ビス１０９を締め、フレーム１０７にロール紙状体支持装置１００を固定する。
【００３５】
ロール紙状体１２の芯に支持部１０２を挿通すると、接点Ａ及び接点Ｂにて支持部１０２はロール紙状体１２の芯の内部に接する。
【００３６】
従って、ロール紙状体１２から紙状体である記録媒体を引き出してもロール紙状体１２は揺動することがなく、張力は安定する。
【００３７】
図７は、画像形成装置１の構成を示すブロック図である。図７に示すように、画像形成装置１は、演算装置であるＣＰＵ７０１と、記憶装置であるメモリ７０２と、画像形成を行う画像形成部７０３と、記録媒体搬送装置１３を駆動する搬送装置駆動部７０４と、カッタ１６を駆動するカッタ駆動部７０５と、基底部１０１の支持部１０２設置位置に隣接して設けられ、ロール紙状体１２の記録媒体がなくなったことを検知するセンサ７０６と、ホストコンピュータなどの上位機種との通信を行う通信インターフェース７０７と、を備える。
【００３８】
ＣＰＵ７０１はセンサ７０６からの出力を入力する。ＣＰＵ７０１は、センサ７０６から入力した値が正常値、すなわち閾値以上あるいはＯＮの場合、搬送装置駆動部７０４を駆動させ、画像形成部７０３に画像形成させ、カッタ駆動部７０５を駆動させる。
【００３９】
ＣＰＵ７０１はセンサ７０６から入力した値が異常を示す値、すなわち閾値未満あるいはＯＦＦの場合、搬送装置駆動部７０４、画像形成部７０３、及びカッタ駆動部７０５を停止させ、通信インターフェース７０７を通じて上位機種に記録媒体がなくなった旨の信号を送信する。
【００４０】
以上のべたように、本実施形態の画像形成装置１は、ロール状紙状体である記録媒体１２を回転可能に支持し、回転中心以外に重心を有する基底部１０１にビス１０９を緩めた時にロール紙状体１２の芯の内部に接する少なくとも２点の接点を結ぶ直線が鉛直方向と垂直となるように配置される支持部１０２を備えるロール紙状体支持装置１００と、記録媒体１２を搬送する記録媒体搬送装置１３と、記録媒体１２に画像形成する画像形成部１４と、記録媒体１２を裁断するカッタ１６と、記録媒体搬送装置１３を駆動させる搬送装置駆動部９０４と、カッタ１６を駆動させるカッタ駆動部９０５と、制御部１９と、を備える。
【００４１】
従って、ロール紙状体支持装置１００を備える装置を傾斜して使用してもロール紙状体に揺れが生じにくいという効果がある。
【００４２】
なお、本実施形態においては画像形成装置１にロール紙状体支持装置１００が設置される例を示したが、本実施形態のロール紙状体支持装置１００は他の種類のロール紙状体を扱う装置にも設置可能である。
【００４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
１２：記録媒体
１３：記録媒体搬送装置
１４：画像形成部
１６：カッタ
１００：ロール紙状体支持装置
１０１：基底部
１０２：支持部
【図１】
2012179717.tif 000003
【図２】
2012179717.tif 000004
【図３】
2012179717.tif 000005
【図４】
2012179717.tif 000006
【図５】
2012179717.tif 000007
【図６】
2012179717.tif 000008
【図７】
2012179717.tif 000009